(57)【要約】【課題】照明器具などの給電部に取り付けるだけで外観を容易に変更することができ、かつ、汎用性の高い照明用光源を提供する。【解決手段】照明用光源は、発光モジュール１０を備えるランプ本体１００と、透光性を有し、ランプ本体１００の外方、かつ、発光モジュール１０の光出射面側に、ランプ本体１００に対する相対位置が変更可能に設けられたカバー１０１と、ランプ本体１００とカバー１０１の光出射面との間に設けられた、発光モジュール１０から出射される光を拡散させる拡散部材１０２とを備える。【選択図】図２
2016152210.tif 000002
【特許請求の範囲】
【請求項１】
発光モジュールを備えるランプ本体と、
透光性を有し、前記ランプ本体の外方、かつ、前記発光モジュールの光出射面側に、前記ランプ本体に対する相対位置が変更可能に設けられたカバーと、
前記ランプ本体と前記カバーの光出射面との間に設けられた、前記発光モジュールから出射される光を拡散させる拡散部材とを備える
照明用光源。
【請求項２】
前記拡散部材は、前記相対位置に応じて、位置及び姿勢の少なくとも一方を変更可能である
請求項１に記載の照明用光源。
【請求項３】
前記拡散部材は、前記ランプ本体を光出射側から見た場合に、前記ランプ本体に重複する第１位置と、前記ランプ本体に重複しない第２位置との間で移動可能である
請求項２に記載の照明用光源。
【請求項４】
前記拡散部材は、（ｉ）前記発光モジュールから前記カバーの光出射面までの距離が所定の距離より長い場合に、前記第１位置に配置され、（ｉｉ）前記発光モジュールから前記カバーの光出射面までの距離が前記所定の距離より短い場合に、前記第２位置に配置される
請求項３に記載の照明用光源。
【請求項５】
前記拡散部材は、前記ランプ本体又は前記カバーに固定されている
請求項１に記載の照明用光源。
【請求項６】
前記ランプ本体は、
前記発光モジュールを保持する筐体と、
前記発光モジュールの光出射面側に設けられた透光性を有するグローブとを備え、
前記拡散部材は、前記グローブと前記カバーの光出射面との間に設けられている
請求項１〜５のいずれか１項に記載の照明用光源。
【請求項７】
発光モジュールを備えるランプ本体と、
前記ランプ本体とカバーの光出射面との間に設けられた、前記発光モジュールから出射される光を拡散させる拡散部材とを備え、
前記カバーは、透光性を有し、前記ランプ本体の外方、かつ、前記発光モジュールの光出射面側に、前記ランプ本体に対する相対位置が変更可能に設けられる
照明用光源。
【発明の詳細な説明】
【技術分野】
【０００１】
本発明は、照明用光源に関する。
【背景技術】
【０００２】
従来、発光ダイオード（ＬＥＤ：Ｌｉｇｈｔ  Ｅｍｉｔｔｉｎｇ  Ｄｉｏｄｅ）などの半導体発光素子は、小型、高効率及び長寿命であることから、様々な製品の光源として期待されている。
【０００３】
例えば、ＬＥＤは、電球形ＬＥＤランプ（ＬＥＤ電球）若しくは直管ＬＥＤランプなどの照明用光源、又は、シーリングライト若しくはダウンライトなどの天井に設置される照明器具などに用いられている。例えば、特許文献１には、従来のＬＥＤを用いた照明装置が開示されている。
【先行技術文献】
【特許文献】
【０００４】
【特許文献１】特開２０１４−１６５０２１号公報
【発明の概要】
【発明が解決しようとする課題】
【０００５】
ところで、近年、ダウンライトなどの外観を変更したいという要望がある。従来では、外観を変更するためには、照明器具の取り替えが必要となり、非常に煩雑な作業が必要となる。また、照明器具を取り替えずに、ランプのみを交換することが考えられる。しかしながら、この場合、使用可能なランプが既存の照明器具に適合可能なものに限られる。
【０００６】
そこで、本発明は、照明器具などの給電部に取り付けるだけで外観を容易に変更することができ、かつ、汎用性の高い照明用光源を提供することを目的とする。
【課題を解決するための手段】
【０００７】
上記目的を達成するため、本発明の一態様に係る照明用光源は、発光モジュールを備えるランプ本体と、透光性を有し、前記ランプ本体の外方、かつ、前記発光モジュールの光出射面側に、前記ランプ本体に対する相対位置が変更可能に設けられたカバーと、前記ランプ本体と前記カバーの光出射面との間に設けられた、前記発光モジュールから出射される光を拡散させる拡散部材とを備える。
【０００８】
また、本発明の一態様に係る照明用光源は、発光モジュールを備えるランプ本体と、前記ランプ本体とカバーの光出射面との間に設けられた、前記発光モジュールから出射される光を拡散させる拡散部材とを備え、前記カバーは、透光性を有し、前記ランプ本体の外方、かつ、前記発光モジュールの光出射面側に、前記ランプ本体に対する相対位置が変更可能に設けられる。
【発明の効果】
【０００９】
本発明によれば、照明器具などの給電部に取り付けるだけで外観を容易に変更することができ、かつ、汎用性の高い照明用光源を提供することができる。
【図面の簡単な説明】
【００１０】
【図１Ａ】実施の形態１に係る電球形ランプの外観を示す斜視図である。
【図１Ｂ】実施の形態１に係る電球形ランプの外観を示す斜視図である。
【図２】実施の形態１に係る電球形ランプの分解斜視図である。
【図３】実施の形態１に係る電球形ランプが取り付けられた照明器具の断面概要を示す図である。
【図４】実施の形態１に係る拡散部材の斜視図である。
【図５Ａ】実施の形態１に係る拡散部材が閉じているときの第１カバーと拡散部材とを示す斜視図である。
【図５Ｂ】実施の形態１に係る拡散部材が開いているときの第１カバーと拡散部材とを示す斜視図である。
【図６】実施の形態１に係る拡散部材の位置及び姿勢を変更する方法を示す図である。
【図７Ａ】比較例に係る電球形ランプのランプ本体からの光の出射方向を模式的に示す断面図である。
【図７Ｂ】実施の形態１に電球形ランプの係るランプ本体からの光の出射方向を模式的に示す断面図である。
【図８】実施の形態２に係る電球形ランプの一部分解斜視図である。
【図９】実施の形態２に係る電球形ランプの断面図である。
【発明を実施するための形態】
【００１１】
以下では、本発明の実施の形態に係る照明用光源について、図面を用いて詳細に説明する。なお、以下に説明する実施の形態は、いずれも本発明の好ましい一具体例を示すものである。したがって、以下の実施の形態で示される数値、形状、材料、構成要素、構成要素の配置及び接続形態などは、一例であり、本発明を限定する趣旨ではない。よって、以下の実施の形態における構成要素のうち、本発明の最上位概念を示す独立請求項に記載されていない構成要素については、任意の構成要素として説明される。
【００１２】
また、各図は、模式図であり、必ずしも厳密に図示されたものではない。また、各図において、同じ構成部材については同じ符号を付している。また、以下の実施の形態において、略均一又は略一致などの表現を用いている。例えば、略均一は、完全に均一であることを意味するだけでなく、実質的に均一、すなわち、数％程度の誤差を含むことも意味する。他の「略」を用いた表現についても同様である。
【００１３】
以下の各実施の形態及びその変形例では、照明用光源の一例として、電球形ランプ（ＬＥＤ電球）について説明する。
【００１４】
（実施の形態１）
［概要］
まず、本実施の形態に係る電球形ランプ１及び電球形ランプ１が取り付けられる照明器具２００の概要について、図１Ａ〜図３を用いて説明する。
【００１５】
図１Ａ及び図１Ｂは、本実施の形態に係る電球形ランプ１の外観を示す斜視図である。具体的には、図１Ａは、電球形ランプ１を下方から見たときの斜視図である。図１Ｂは、電球形ランプ１を上方から見たときの斜視図である。
【００１６】
図２は、本実施の形態に係る電球形ランプ１の分解斜視図である。なお、図２において、紙面上下方向に沿って描かれた一点鎖線は、電球形ランプ１のランプ軸Ｊ（中心軸）を示している。ランプ軸Ｊとは、電球形ランプ１を照明器具のソケットに取り付ける際の回転中心となる軸である。本実施の形態では、ランプ軸Ｊは、筐体６０、口金８０及びカバー１０１（第１カバー１１０）の回転軸に一致する。
【００１７】
図３は、本実施の形態に係る電球形ランプ１が取り付けられた照明器具２００の断面概要を示す図である。図３においては、照明器具２００と電球形ランプ１との位置関係が分かりやすいように、照明器具２００を断面図で示し、電球形ランプ１を側面図で示している。
【００１８】
なお、以下の説明において、「上」又は「上方」は、電球形ランプ１の口金８０側であり、「下」又は「下方」は、電球形ランプ１のカバー１０１側である。具体的には、図１Ａ及び図１Ｂに示すＺ軸正方向が上方であり、Ｚ軸負方向が下方である。
【００１９】
各図において、Ｚ軸方向は、ランプ軸Ｊに平行な方向である。Ｘ軸方向及びＹ軸方向は、ランプ軸Ｊに直交する面において、互いに直交する２つの方向である。
【００２０】
図２に示すように、電球形ランプ１は、ランプ本体１００と、カバー１０１と、拡散部材１０２とを備える。
【００２１】
ランプ本体１００は、電球形ランプ１の本体部である。ランプ本体１００は、発光モジュール１０を備え、例えば、可視光（照明光）を出射する。また、電球形ランプ１は、ランプ本体１００の外側面に設けられた、ランプ本体１００に対するカバー１０１の位置（相対位置）を調整するための位置調整部を備える。本実施の形態では、位置調整部は、ランプ本体１００と一体に形成されている。具体的には、位置調整部は、雄ねじ部６１を有する。
【００２２】
カバー１０１は、透光性を有し、ランプ本体１００の外方、かつ、発光モジュール１０の光出射面側（具体的には、Ｚ軸負方向）に、ランプ本体１００に対する相対位置が変更可能に設けられている。ランプ本体１００から出射された光は、カバー１０１を透過して外部に放出される。また、カバー１０１は、電球形ランプ１の外観を規定する部材である。カバー１０１は、雄ねじ部６１に螺合する雌ねじ部１１４を有する。
【００２３】
拡散部材１０２は、ランプ本体１００とカバー１０１の光出射面との間に設けられ、発光モジュール１０から出射される光を拡散させる。本実施の形態では、電球形ランプ１は、複数の拡散部材１０２を備える。具体的には、４つの拡散部材１０２が、カバー１０１に支持されている。
【００２４】
電球形ランプ１は、ランプ本体１００に対するカバー１０１の位置、すなわち、相対位置を調整することができる。具体的には、電球形ランプ１は、ランプ軸Ｊ上における、発光モジュール１０（又は、ランプ本体１００の先端若しくは口金８０）とカバー１０１の光出射面との間の距離を変更することができる。これにより、電球形ランプ１は、ランプ本体１００とカバー１０１とを近付けた状態で、又は、遠ざけた状態で照明器具２００などに取り付けることができる。
【００２５】
なお、照明器具２００は、例えば、ダウンライトなどの埋込型照明器具である。図３に示すように、照明器具２００は、天井２１０に埋め込まれている。照明器具２００は、ソケット２０１と、器具本体２０２とを備える。
【００２６】
ソケット２０１は、商用電源などの外部電源に接続されている。ソケット２０１は、電球形ランプ１の口金８０がねじ入れられることで、口金８０と電気的及び機械的に接続する。これにより、電球形ランプ１は、ソケット２０１を介して外部から発光モジュール１０を点灯させるための電力を受けることができる。
【００２７】
器具本体２０２は、電球形ランプ１を収容するための空間を形成する。なお、器具本体２０２の深さ（具体的には、Ｚ軸方向の長さ）は、照明器具の種類によって様々に異なっている。
【００２８】
以下では、電球形ランプ１の構成要素について、図面を用いて詳細に説明する。
【００２９】
［ランプ本体］
ランプ本体１００は、図２に示すように、発光モジュール１０と、基台２０と、駆動回路３０と、回路ケース４０と、ヒートシンク５０と、筐体６０と、グローブ７０と、口金８０とを備える。
【００３０】
発光モジュール１０は、所定の色（波長）の光を放出する発光装置である。本実施の形態に係る発光モジュール１０は、例えば、白色光を放出する。
【００３１】
発光モジュール１０は、グローブ７０の内方に配置されている。具体的には、発光モジュール１０は、基台２０に載置されており、駆動回路３０から供給される電力によって発光する。
【００３２】
図２に示すように、発光モジュール１０は、基板１１と、基板１１に実装された発光素子１２とを備える。本実施の形態では、発光モジュール１０は、基板１１とランプ軸Ｊとが交差するように配置されている。
【００３３】
基板１１は、発光素子１２を実装するための実装基板である。基板１１は、例えば、平面視において略円形の基板である。基板１１は、基台２０上に取り付けられている。基板１１としては、例えば、アルミニウムなどの金属の基材に絶縁被覆を施すことで形成されるメタルベース基板、アルミナなどのセラミック材料の焼結体であるセラミックス基板、又は、樹脂材料からなる樹脂基板などが用いられる。なお、基板１１の形状は、円形に限らず、矩形などでもよい。
【００３４】
発光素子１２は、基板１１の片面上に複数個実装されている。本実施の形態では、複数の発光素子１２が、基板１１の下面（Ｚ軸負方向の面）のランプ軸Ｊを中心とする円周上に平面配置されている。各発光素子１２は、主光出射方向を電球形ランプ１の前方（Ｚ軸負方向）に向けた姿勢で実装されている。
【００３５】
本実施の形態に係る発光素子１２は、表面実装（ＳＭＤ：Ｓｕｒｆａｃｅ  Ｍｏｕｎｔ  Ｄｅｖｉｃｅ）型ＬＥＤ素子である。図２に示すように、発光素子１２は、容器１２ａと、容器１２ａ内に配置されたＬＥＤチップ１２ｂと、ＬＥＤチップ１２ｂを封止する封止部材１２ｃとを備える。封止部材１２ｃは、ＬＥＤチップ１２ｂから発せられる光の波長を変換する波長変換材料を含んでいる。
【００３６】
本実施の形態では、ＬＥＤチップ１２ｂとして、例えば、青色光を発する青色ＬＥＤチップが用いられる。青色ＬＥＤチップとしては、例えばＩｎＧａＮ系の材料によって形成された、中心波長が４４０ｎｍ〜４７０ｎｍの窒化ガリウム系の発光素子が用いられる。この場合、封止部材１２ｃは、白色光を放出するために、例えば、ＹＡＧ（イットリウム・アルミニウム・ガーネット）系の黄色蛍光体粒子を波長変換材として含んでいる。
【００３７】
基台２０（モジュールプレート）は、発光モジュール１０を支持する支持部材（支持台）である。基台２０は、例えば、ランプ軸Ｊと直交する平面を有する略円板状の部材である。発光モジュール１０は、止め金具、ねじ又は接着剤などにより基台２０に固定されている。
【００３８】
基台２０は、発光モジュール１０（発光素子１２）で発生する熱を放熱させるための放熱部材（ヒートシンク）としても機能する。したがって、基台２０は、金属材料、又は、熱伝導率の高い樹脂材料によって形成されることが好ましい。これにより、発光モジュール１０で発生した熱をヒートシンク５０に効率良く伝導させることができる。基台２０は、例えば、アルミダイキャストによって成型される。
【００３９】
駆動回路３０は、発光モジュール１０を駆動するための回路ユニットである。本実施の形態に係る駆動回路３０は、発光モジュール１０（発光素子１２）を点灯（発光）させるための電力を発光モジュール１０に供給する点灯回路（電源回路）である。駆動回路３０は、口金８０から供給される交流電力を直流電圧に変換し、発光モジュール１０に供給する。駆動回路３０は、図示しないリード線などによって、発光モジュール１０及び口金８０の各々と電気的に接続されている。
【００４０】
駆動回路３０は、回路ケース４０に収納されている。例えば、駆動回路３０は、ねじ止め、接着又は係合などによって回路ケース４０に固定されている。
【００４１】
回路ケース４０は、駆動回路３０を収納するためのケース部材（内部筐体）である。回路ケース４０は、駆動回路３０を囲むように形成された絶縁性の筒体（絶縁ケース）である。回路ケース４０は、例えば、ポリブチレンテレフタレート（ＰＢＴ）などの絶縁性樹脂材料などを用いて形成される。
【００４２】
ヒートシンク５０は、駆動回路３０を囲むように配置された筒体（筐体）である。具体的には、ヒートシンク５０は、回路ケース４０を介して駆動回路３０を囲んでいる。
【００４３】
ヒートシンク５０は、放熱部として機能する。ヒートシンク５０は、基台２０に接触した状態で基台２０に接続されている。これにより、発光モジュール１０で発生した熱は、基台２０を介してヒートシンク５０に伝導するので、発光モジュール１０の熱を効率良く放熱させることができる。また、ヒートシンク５０は、駆動回路３０で発生する熱を放熱する放熱部材としても機能する。
【００４４】
ヒートシンク５０は、例えば、金属材料などの熱伝導率が高い材料を用いて形成される。例えば、ヒートシンク５０は、回路ケース４０より熱伝導率が高い材料を用いて形成される。
【００４５】
筐体６０は、電球形ランプ１の外郭筐体である。筐体６０の外側面は、ランプ外部（大気中）に露出している。筐体６０は、ヒートシンク５０の周囲を囲むように配置された筒体である。筐体６０の一方の端部（Ｚ軸負方向の端部）には、グローブ７０が接続され、他方の端部（Ｚ軸正方向の端部）には、口金８０が接続されている。
【００４６】
筐体６０は、発光モジュール１０を保持する。本実施の形態では、筐体６０は、ヒートシンク５０、回路ケース４０及び基台２０を介して発光モジュール１０を保持する。
【００４７】
筐体６０は、絶縁性を有する。筐体６０は、例えば、ＰＢＴなどの絶縁性樹脂材料を用いて形成される。筐体６０が、金属製のヒートシンク５０及び駆動回路３０を囲むことで、電球形ランプ１の絶縁性を向上させることができる。
【００４８】
筐体６０は、図２に示すように、ランプ軸Ｊに沿った方向（Ｚ軸方向）に長尺の筒体である。本実施の形態では、筐体６０は、内径及び外径が略均一の第１円筒部６０ａと、内径及び外径が漸次的に増加する第２円筒部６０ｂとを有する。なお、第１円筒部６０ａ及び第２円筒部６０ｂは、例えば樹脂材料を用いた射出成形などによって一体に形成されている。
【００４９】
第１円筒部６０ａの一方（Ｚ軸正方向）の端部には、口金８０が接続されている。第１円筒部６０ａの他方（Ｚ軸負方向）の端部には、第２円筒部６０ｂの一方の端部が接続されている。第２円筒部６０ｂの他方の端部には、グローブ７０が接続されている。第２円筒部６０ｂは、Ｚ軸負方向に向かうにつれて、内径及び外径が漸次的に増加する。具体的には、第２円筒部６０ｂは、円錐台状の筒部である。
【００５０】
本実施の形態では、図２に示すように、筐体６０の外側面には、位置調整部（具体的には、雄ねじ部６１）が設けられている。具体的には、雄ねじ部６１は、第２円筒部６０ｂのＺ軸負方向の端部に設けられている。より具体的には、雄ねじ部６１は、ランプ本体１００の最大径を有する部分に設けられている。したがって、例えば、ランプ本体１００を上面視した（口金８０側から見た）場合、雄ねじ部６１がランプ本体１００の外周に相当する。
【００５１】
グローブ７０は、発光モジュール１０の光出射面側に設けられた透光性を有するカバーである。グローブ７０は、発光モジュール１０から放出される光をランプ外部に取り出すように形成されている。つまり、グローブ７０の内面に入射した発光モジュール１０から放出される光は、グローブ７０を透過してグローブ７０の外部へと取り出される。
【００５２】
グローブ７０は、例えば、筐体６０の端部に嵌め入れられている。あるいは、グローブ７０は、接着剤などを用いて筐体６０の端部に接着されていてもよい。
【００５３】
グローブ７０は、例えば、ランプ軸Ｊを中心とする中空の回転体である。本実施の形態では、グローブ７０は、略半球体であるが、これに限らない。グローブ７０は、扁平な回転楕円体などのいかなる形状でもよい。
【００５４】
グローブ７０は、例えば、シリカガラスなどのガラス材料、又は、アクリル（ＰＭＭＡ）若しくはポリカーボネート（ＰＣ）などの樹脂材料から形成される。なお、グローブ７０には、発光モジュール１０から放出される光を拡散させるための拡散処理が施されていてもよい。
【００５５】
口金８０は、発光モジュール１０（発光素子１２）を発光させるための電力をランプ外部から受電する受電部である。口金８０は、例えば、照明器具２００のソケット２０１に取り付けられる。これにより、口金８０は、電球形ランプ１を点灯させる際に、照明器具２００のソケット２０１から電力を受けることができる。
【００５６】
口金８０は、金属製の有底筒体である。本実施の形態では、口金８０は、ねじ込み式のエジソンタイプ（Ｅ型）の口金である。例えば、口金８０として、Ｅ２６形、Ｅ１７形又はＥ１６形などを用いることができる。また、口金８０として、差し込み式の口金を用いてもよい。
【００５７】
［カバー］
カバー１０１は、図１Ａ〜図３に示すように、第１カバー１１０と、第２カバー１２０とを備える。本実施の形態では、カバー１０１は、第１カバー１１０と第２カバー１２０とが組み合わされることで形成される。このようにカバー１０１は、分離可能な２つの部材（第１カバー１１０及び第２カバー１２０）から形成されているが、これに限らない。カバー１０１は、一体に形成されていてもよい。
【００５８】
第１カバー１１０は、図１Ｂ及び図２に示すように、筒状部１１１と、雌ねじ部１１４と、板状部１１５と、リブ１１６と、被係止部１１７と、支持部１１８とを備える。
【００５９】
筒状部１１１は、ランプ本体１００が挿入される筒状の部分である。本実施の形態では、筒状部１１１は、ランプ軸Ｊを中心とする略円筒部である。筒状部１１１の内側面には、雌ねじ部１１４が設けられている。雌ねじ部１１４は、ランプ本体１００の外側面に設けられた雄ねじ部６１に螺合する。
【００６０】
筒状部１１１は、第１開口１１２及び第２開口１１３を有する。第１開口１１２は、ランプ本体１００の口金８０側の開口である。第２開口１１３は、第２カバー１２０側の開口である。ランプ本体１００は、グローブ７０を先端として第１開口１１２から挿入される。筒状部１１１をランプ本体１００に対して回転させることで、雄ねじ部６１と雌ねじ部１１４とが螺合して、ランプ本体１００を挿入方向（Ｚ軸負方向）に進行させることができる。
【００６１】
板状部１１５は、筒状部１１１の第２開口１１３側に設けられた板状の部分である。本実施の形態では、板状部１１５は、ランプ軸Ｊを中心としてランプ軸Ｊに略直交する略円板である。板状部１１５は、電球形ランプ１が照明器具２００に取り付けられた場合に、照明器具２００の器具本体２０２を覆う。なお、板状部１１５の下面は、光反射性を有してもよい。これにより、ランプ本体１００から出射された光を反射させて、効率良く第２カバー１２０から外部へ放出させることができる。
【００６２】
リブ１１６は、板状部１１５の上面に立設するように設けられている。本実施の形態では、平面視において、複数のリブ１１６がランプ軸Ｊを中心として放射状に設けられている。リブ１１６は、電球形ランプ１が照明器具２００に取り付けられた場合に、天井２１０（及び器具本体２０２）に当接する。
【００６３】
被係止部１１７は、第２カバー１２０の爪部１２１によって係止される部分である。本実施の形態では、被係止部１１７は、平面視において対称な位置に複数の被係止部１１７（図１Ｂの例では６個）が設けられている。
【００６４】
被係止部１１７は、板状部１１５の端面から中心に向かって凹んだ凹部である。被係止部１１７には、爪部１２１が挿入されて係止される。
【００６５】
支持部１１８は、拡散部材１０２を支持する部分である。本実施の形態では、平面視において対称な位置に、複数の支持部１１８（図２の例では４個）が設けられている。支持部１１８は、第２開口１１３の近傍に設けられている。
【００６６】
本実施の形態では、支持部１１８は、拡散部材１０２を可動に支持する軸である。具体的には、支持部１１８は、拡散部材１０２が支持部１１８を軸として回動可能になるように拡散部材１０２を支持する。
【００６７】
第１カバー１１０は、例えば、透光性を有する樹脂材料を用いた射出成形などにより一体に形成される。あるいは、第１カバー１１０は、金属材料から形成されてもよい。また、第１カバー１１０は、複数の構成要素を組み合わせて形成されてもよい。例えば、筒状部１１１と、板状部１１５とは別体であり、これらを組み合わせることで第１カバー１１０が形成されてもよい。
【００６８】
第２カバー１２０は、透光性を有するカバーである。第２カバー１２０は、ランプ本体１００から出射された光を透過して、光出射面から外部に放出する。なお、第２カバー１２０の光出射面は、ランプ本体１００（発光モジュール１０）とは反対側の面（Ｚ軸負方向側の面）である。
【００６９】
第２カバー１２０は、第１カバー１１０の下面を覆うように設けられている。図３に示すように、第２カバー１２０は、電球形ランプ１を照明器具２００に取り付けた場合に、天井２１０より下方に位置し、ユーザが視認可能な部材である。つまり、第２カバー１２０は、電球形ランプ１の外観を規定する部材である。したがって、第２カバー１２０の形状を異ならせることにより、電球形ランプ１の外観を変更することができる。
【００７０】
図１Ｂに示すように、第２カバー１２０は、爪部１２１を有する。本実施の形態では、平面視において対称な位置に複数の爪部１２１（図１Ｂの例では６個）が設けられている。
【００７１】
爪部１２１は、第１カバー１１０の被係止部１１７に係止する。これにより、第２カバー１２０は、第１カバー１１０に取り付けることができる。また、第２カバー１２０は、容易に第１カバー１１０から取り外すことができるので、電球形ランプ１の外観を容易に変更することができる。
【００７２】
第２カバー１２０は、例えば、アクリル又はポリカーボネートなどの透光性を有する樹脂材料を用いた射出成形などにより一体に形成される。あるいは、第２カバー１２０は、シリカガラスなどのガラス材料から形成されてもよい。
【００７３】
［拡散部材］
拡散部材１０２は、ランプ本体１００とカバー１０１の光出射面との間に設けられ、発光モジュール１０から出射される光を拡散させる。本実施の形態では、拡散部材１０２は、グローブ７０とカバー１０１の光出射面との間に設けられている。具体的には、拡散部材１０２は、第１カバー１１０の支持部１１８によって可動に支持されている。
【００７４】
拡散部材１０２は、例えば、シリカガラスなどのガラス材料、又は、アクリル若しくはポリカーボネートなどの樹脂材料から形成される。拡散部材１０２は、ランプ本体１００から放出される光を拡散させるための拡散処理が施されている。例えば、拡散部材１０２は、表面に光拡散膜が形成されている。
【００７５】
具体的には、シリカ若しくは炭酸カルシウムなどの光拡散剤を含有する樹脂、又は、白色顔料などを拡散部材１０２の表面に塗布することによって、光拡散膜を形成することができる。あるいは、拡散部材１０２の表面に複数の光拡散ドット又は複数の微小な窪みを形成することによって、光拡散機能を持たせることもできる。あるいは、拡散部材１０２は、光拡散剤を含有する樹脂材料を用いた射出成形などにより形成されていてもよい。
【００７６】
図４は、本実施の形態に係る拡散部材１０２の斜視図である。図４に示すように、拡散部材１０２は、板状部１３１と、取付部１３２と、接続部１３３と、当接部１３４とを備える。
【００７７】
板状部１３１は、ランプ本体１００が出射する光を拡散させる板状の部分である。なお、上記の拡散処理は、板状部１３１のみに施されていてもよい。本実施の形態では、板状部１３１は、略矩形の平板であるが、形状及び大きさなどはこれに限らない。
【００７８】
取付部１３２は、第１カバー１１０の支持部１１８に取り付けられる部分である。取付部１３２は、略円形の枠体であって、一部が切り欠かれた形状を有する。切り欠き状の部分を介して支持部１１８が枠内に挿入される。これにより、図４に示す軸Ｐを回動軸として、拡散部材１０２は回動する。
【００７９】
接続部１３３は、取付部１３２と板状部１３１とを接続する部分である。接続部１３３の形状は、略直方体状である。拡散部材１０２は軸Ｐを中心に回動するので、接続部１３３の長さが、板状部１３１の可動範囲に関わる。具体的には、接続部１３３が長い程、板状部１３１の可動範囲が大きくなり、接続部１３３が短い程、板状部１３１の可動範囲が小さくなる。
【００８０】
当接部１３４は、取付部１３２に接続されている。当接部１３４を動かすことによって、取付部１３２、接続部１３３及び板状部１３１を回動させることができる。当接部１３４は、後述するように、ランプ本体１００に当接する。例えば、ランプ本体１００が当接部１３４を押すことで、拡散部材１０２が回動する。
【００８１】
なお、図４に示すように、拡散部材１０２は、取付部１３２、接続部１３３及び当接部１３４を軸Ｐに沿って平行に２つずつ備える。これにより、拡散部材１０２の回動を安定させることができる。
【００８２】
［ランプ本体とカバーと拡散部材との位置関係］
続いて、本実施の形態に係るランプ本体１００とカバー１０１と拡散部材１０２との位置関係について、図５Ａ〜図６を用いて説明する。
【００８３】
本実施の形態では、拡散部材１０２は、位置及び姿勢を変更することができる。例えば、複数の拡散部材１０２は、各々が回動することで、第１カバー１１０の第２開口１１３を開閉することができる。具体的には、拡散部材１０２は、ランプ本体１００を光出射側から見た（Ｚ軸正方向に見た）場合、ランプ本体１００に重複する第１位置と、ランプ本体１００に重複しない第２位置との間で移動可能である。
【００８４】
図５Ａは、本実施の形態に係る拡散部材１０２が閉じているときの第１カバー１１０と拡散部材１０２とを示す斜視図である。具体的には、図５Ａは、拡散部材１０２が第１位置に位置している場合を示している。
【００８５】
図５Ａに示す例では、４つの拡散部材１０２が第１カバー１１０の第２開口１１３を閉じるように配置されている。この場合、ランプ本体１００から出射される光は、第２開口１１３を通過するので、拡散部材１０２によって拡散される。
【００８６】
図５Ｂは、本実施の形態に係る拡散部材１０２が開いているときの第１カバー１１０と拡散部材１０２とを示す斜視図である。具体的には、図５Ｂは、拡散部材１０２が第２位置に位置している場合を示している。
【００８７】
図５Ｂに示すように、４つの拡散部材１０２が第１カバー１１０の第２開口１１３を開けるように配置されている。この場合、ランプ本体１００から出射される光は、拡散部材１０２によってはほとんど拡散されない。
【００８８】
本実施の形態では、拡散部材１０２は、ランプ本体１００に対するカバー１０１の位置（すなわち、相対位置）に応じて、位置及び姿勢の少なくとも一方を変更可能である。例えば、拡散部材１０２は、発光モジュール１０からカバー１０１の光出射面までの距離が所定の距離より長い場合に、第１位置に配置される。拡散部材１０２は、発光モジュール１０からカバー１０１の光出射面までの距離が所定の距離より短い場合に、第２位置に配置される。
【００８９】
ここで、拡散部材１０２の位置及び姿勢を変更する方法について、図６を用いて説明する。図６は、本実施の形態に係る拡散部材１０２の位置及び姿勢を変更する方法を示す図である。なお、図６では、説明を分かりやすくするために、筒状部１１１と支持部１１８とランプ本体１００と拡散部材１０２とのみを示している。具体的には、筒状部１１１を断面図で示し、ランプ本体１００及び拡散部材１０２などは側面図で示している。
【００９０】
ランプ本体１００にカバー１０１を取り付ける時点（初期状態）では、図５Ａに示すように、４つの拡散部材１０２は、第１位置に位置している。すなわち、４つの拡散部材１０２は、第２開口１１３を閉じるように配置されている。
【００９１】
したがって、例えば、図６の（ａ）に示すように、ランプ本体１００からカバー１０１の光出射面が離れているとき、４つの拡散部材１０２は、第２開口１１３を閉じたままである。よって、この場合、ランプ本体１００から出射される光は、拡散部材１０２によって拡散される。
【００９２】
ランプ本体１００とカバー１０１の光出射面との距離を短くしていくと、ランプ本体１００（グローブ７０）が、拡散部材１０２の当接部１３４に当接する。さらに、ランプ本体１００とカバー１０１の光出射面との距離を近付けることで、図６の（ｂ）に示すように、当接部１３４がＺ軸負方向に押されて、支持部１１８を回動軸として回動する。
【００９３】
さらに、ランプ本体１００とカバー１０１の光出射面との距離を短くすると、図６の（ｃ）に示すように、拡散部材１０２の当接部１３４が押されて、板状部１３１が第２開口１１３を開くように配置される。つまり、４つの拡散部材１０２は、第２位置に位置する。
【００９４】
以上のように、本実施の形態に係る電球形ランプ１によれば、ランプ本体１００とカバー１０１の光出射面との距離が短くなるにつれて、ランプ本体１００が当接部１３４を押すので、拡散部材１０２が閉じた状態から開いた状態に変化させることができる。つまり、ランプ本体１００とカバー１０１の光出射面との距離に連動して、拡散部材１０２を可動させることができる。
【００９５】
なお、拡散部材１０２の位置及び姿勢を手動で動かしてもよい。
【００９６】
［効果など］
以下では、本実施の形態に係る電球形ランプ１の効果などを説明する。
【００９７】
上述したように、本実施の形態に係る電球形ランプ１は、発光モジュール１０を備えるランプ本体１００と、透光性を有し、ランプ本体１００の外方、かつ、発光モジュール１０の光出射面側に、ランプ本体１００に対する相対位置が変更可能に設けられたカバー１０１と、ランプ本体１００とカバー１０１の光出射面との間に設けられた、発光モジュール１０から出射される光を拡散させる拡散部材１０２とを備える。
【００９８】
これにより、本実施の形態に係る電球形ランプ１によれば、ランプ本体１００に対するカバー１０１の位置を変更することができるので、深さが異なる照明器具にも電球形ランプ１を適用することができる。したがって、本実施の形態に係る電球形ランプ１によれば、汎用性を高めることができる。例えば、照明器具を取り替えなくても、既存の照明器具に電球形ランプ１を適用させることができるので、外観を容易に変更することができる。つまり、電球形ランプ１を変更するだけで、あるいは、カバー１０１を変更するだけで、ダウンライトなどの照明器具の外観を変更することができる。
【００９９】
さらに、本実施の形態に係る電球形ランプ１によれば、発光均斉度を高めることができる。具体的には、以下の通りである。
【０１００】
まず、比較例として、拡散部材１０２を備えない電球形ランプ１ａについて、図７Ａを用いて説明する。図７Ａは、比較例に係る電球形ランプ１ａのランプ本体１００からの光の出射方向を模式的に示す断面図である。なお、図７Ａでは、ランプ本体１００から出射される光が照射する領域をドットの網掛けで示している。
【０１０１】
電球形ランプ１ａが拡散部材１０２を備えないので、ランプ本体１００から出射される光は、図７Ａに示すように、照明器具２００の器具本体２０２の開口２０３から広がるように出射される。ランプ本体１００とカバー１０１の光出射面とが離れている、すなわち、ランプ本体１００が器具本体２０２の奥に配置されているので、器具本体２０２の開口２０３から出射される光は充分に広がらない。
【０１０２】
このため、図７Ａに示すように、カバー１０１の光出射面では、中央（ランプ軸Ｊ）から離れる程、光量が少なくなる。したがって、比較例に係る電球形ランプ１ａでは、発光均斉度が良くない。具体的には、電球形ランプ１ａの照明エリア（すなわち、電球形ランプ１ａからの光によって照らされる領域）が狭くなる、あるいは、当該エリアの外周部の光量が少なくなる。
【０１０３】
これに対して、上述したように、本実施の形態に係る電球形ランプ１は、拡散部材１０２を備える。
【０１０４】
図７Ｂは、本実施の形態に係る電球形ランプ１のランプ本体１００からの光の出射方向を模式的に示す断面図である。なお、図７Ｂでは、ランプ本体１００から出射される光が照射する領域をドットの網掛けで示している。また、光の進行方向の一例を模式的に太矢印で示している。
【０１０５】
電球形ランプ１が拡散部材１０２を備えるので、ランプ本体１００から出射される光は、図７Ｂに示すように、拡散部材１０２によって拡散されて、照明器具２００の器具本体２０２の開口２０３から充分に広がるように出射される。つまり、ランプ本体１００が器具本体２０２の奥に配置されていたとしても、拡散部材１０２によって光を拡散させることができるので、器具本体２０２の開口２０３から出射される光を充分に広げることができる。
【０１０６】
このため、図７Ｂに示すように、カバー１０１の光出射面では、ランプ軸Ｊから離れた位置においても光量の減少を抑制することができる。したがって、本実施の形態に係る電球形ランプ１によれば、発光均斉度を高めることができる。具体的には、電球形ランプ１の照明エリアが狭くなるのを抑制し、当該エリアの外周部の光量の減少を抑制することができる。
【０１０７】
なお、ランプ本体１００とカバー１０１の光出射面との距離に応じて、拡散部材１０２による効果の影響は異なる。
【０１０８】
例えば、ランプ本体１００がカバー１０１から離れる程、すなわち、ランプ本体１００が器具本体２０２の奥に配置される程、器具本体２０２の開口２０３から出射される光はより中央寄りの光となる。このため、拡散部材１０２によって光を拡散させることが求められる。
【０１０９】
一方で、ランプ本体１００がカバー１０１に近付く程、すなわち、ランプ本体１００が器具本体２０２の手前（開口２０３に近い位置）に配置される程、器具本体２０２の開口２０３から出射される光は広がりやすくなる。このため、拡散部材１０２によって光を拡散させなくても、充分な発光均斉度を得ることができる。逆に、拡散部材１０２による光の吸収などによる光量の減少がデメリットになる可能性もある。
【０１１０】
そこで、本実施の形態に係る電球形ランプ１では、例えば、拡散部材１０２は、相対位置に応じて、位置及び姿勢の少なくとも一方を変更可能である。
【０１１１】
これにより、ランプ本体１００とカバー１０１の光出射面との距離に応じて拡散部材１０２の位置及び姿勢を変更することができるので、発光均斉度の向上と光量とをバランス良く調整することができる。
【０１１２】
また、例えば、拡散部材１０２は、ランプ本体１００を光出射側から見た場合に、ランプ本体１００に重複する第１位置と、ランプ本体１００に重複しない第２位置との間で移動可能である。
【０１１３】
これにより、拡散部材１０２による拡散効果が求められる場合には、第１位置に拡散部材１０２を配置することで、発光均斉度を高めることができる。また、拡散部材１０２による拡散効果が求められない場合には、第２位置に拡散部材１０２を配置することで、光量の減少を抑制することができる。
【０１１４】
また、例えば、拡散部材１０２は、（ｉ）発光モジュール１０からカバー１０１の光出射面までの距離が所定の距離より長い場合に、第１位置に配置され、（ｉｉ）発光モジュール１０からカバー１０１の光出射面までの距離が所定の距離より短い場合に、第２位置に配置される。
【０１１５】
これにより、例えば、ランプ本体１００が照明器具２００の器具本体２０２の奥に配置されている場合には、第１位置に拡散部材１０２を配置することで、発光均斉度を高めることができる。また、ランプ本体１００が器具本体２０２の手前に配置されている場合には、第２位置に拡散部材１０２を配置することで、光量の減少を抑制することができる。
【０１１６】
また、例えば、ランプ本体１００は、発光モジュール１０を保持する筐体６０と、発光モジュール１０の光出射面側に設けられた透光性を有するグローブ７０とを備え、拡散部材１０２は、グローブ７０とカバー１０１の光出射面との間に設けられている。
【０１１７】
これにより、例えば、ランプ本体１００にカバー１０１を取り付ける場合に拡散部材１０２の取り付け又は取り外しを容易に行うことができる。したがって、発光均斉度の向上と光量とをバランス良く調整することができる。
【０１１８】
（実施の形態２）
以下では、実施の形態２に係る電球形ランプについて説明する。
【０１１９】
上記の実施の形態１では、拡散部材１０２がランプ本体１００に対するカバー１０１の位置に応じて可動する例について説明した。これに対して、本実施の形態に係る電球形ランプでは、拡散部材は、ランプ本体又はカバーに固定されている。
【０１２０】
図８は、本実施の形態に係る電球形ランプ２の一部分解斜視図である。図９は、本実施の形態に係る電球形ランプ２の断面図である。なお、図９では、カバー３０１の第２カバー１２０を示していない。
【０１２１】
本実施の形態に係る電球形ランプ２は、図８及び図９に示すように、実施の形態１に係る電球形ランプ１と比較して、カバー１０１及び拡散部材１０２の代わりに、カバー３０１及び拡散部材３０２を備える。
【０１２２】
カバー３０１は、実施の形態１に係るカバー１０１と比較して、第１カバー１１０の代わりに第１カバー３１０を備える。第１カバー３１０は、支持部１１８を有していない。第１カバー３１０のその他の構成は、実施の形態１に係る第１カバー１１０と同じである。
【０１２３】
拡散部材３０２は、ランプ本体１００とカバー３０１の光出射面との間に設けられ、発光モジュール１０から出射される光を拡散させる。拡散部材３０２には、例えば、実施の形態１と同様の拡散処理が施されている。拡散部材３０２は、例えば、実施の形態１に係る拡散部材１０２と同じ材料を用いて形成される。
【０１２４】
拡散部材３０２は、カバー３０１に固定されている。本実施の形態では、拡散部材３０２は、第１カバー３１０に固定されている。具体的には、拡散部材３０２は、第１カバー３１０の筒状部１１１に固定されている。より具体的には、拡散部材３０２は、第２開口１１３を覆うように、筒状部１１１の、第２開口１１３側の端部に固定されている。拡散部材３０２は、例えば、止め金具、ねじ又は接着剤によってカバー３０１に固定されている。なお、拡散部材３０２は、第１カバー３１０と一体に形成されてもよい。
【０１２５】
図８及び図９に示すように、拡散部材３０２は、板状部３３１と、支持部３３２とを備える。
【０１２６】
板状部３３１は、ランプ本体１００が出射する光を拡散させる板状の部分である。板状部３３１は、例えば、略円板状であり、ランプ軸Ｊに直交するように設けられている。板状部３３１は、図９に示すように、中央部分がランプ本体１００側（Ｚ軸正方向）に凹んでいる。これにより、板状部３３１に入射する光を外方へ拡散させやすくすることができる。なお、上述した拡散処理は、板状部３３１のみに施されていてもよい。
【０１２７】
板状部３３１は、例えば、下面視において（Ｚ軸正方向に見た場合）、第２開口１１３を覆うように配置されている。板状部３３１の下面視における大きさは、例えば、第２開口１１３より大きい。なお、板状部３３１の形状及び大きさなどは、これに限らない。
【０１２８】
支持部３３２は、板状部３３１を支持する部分である。支持部３３２は、例えば、棒状であり、筒状部１１１と板状部３３１とに固定されている。本実施の形態では、３つの支持部３３２が、平面視において対称な位置に設けられている。
【０１２９】
以上のように、本実施の形態に係る電球形ランプ２では、例えば、拡散部材３０２は、ランプ本体１００又はカバー３０１に固定されている。
【０１３０】
これにより、拡散部材３０２がランプ本体１００からの光を拡散させることができるので、実施の形態１と同様に、発光均斉度を高めることができる。
【０１３１】
なお、本実施の形態では、拡散部材３０２がカバー３０１に固定されている例について示したが、これに限らない。拡散部材３０２は、ランプ本体１００に固定されてもよい。例えば、拡散部材３０２は、グローブ７０又は筐体６０に固定されてもよい。
【０１３２】
（その他）
以上、本発明に係る照明用光源について、上記実施の形態及びその変形例に基づいて説明したが、本発明は、上記の実施の形態に限定されるものではない。
【０１３３】
例えば、上記の実施の形態では、拡散部材１０２及び３０２は、透光性を有する例について示したが、これに限らない。拡散部材１０２及び３０２は、反射性を有してもよい。例えば、拡散部材１０２及び３０２は、ランプ本体１００から出射される光を拡散反射させてもよい。
【０１３４】
また、例えば、上記の実施の形態では、拡散部材１０２が回動可能である例について示したが、これに限らない。例えば、拡散部材１０２は、スライド式に移動可能であってもよい。例えば、拡散部材１０２は、ランプ軸Ｊに直交する面（ＸＹ面）内でスライド可能でもよい。
【０１３５】
また、例えば、上記の実施の形態では、筐体６０に位置調整部が設けられた例を示したが、これに限らない。ランプ本体１００の外側面に位置調整部が設けられていればよく、例えば、グローブ７０に位置調整部が設けられていてもよい。具体的には、グローブ７０は、外側面に雄ねじ部６１が設けられていてもよい。
【０１３６】
あるいは、ランプ本体１００は、筐体６０を備えていなくてもよい。この場合、ヒートシンク５０が外郭筐体として機能するので、ヒートシンク５０の外側面に位置調整部が設けられていてもよい。また、ランプ本体１００は、筐体６０及びヒートシンク５０の両方を備えていなくてもよい。この場合、回路ケース４０が外郭筐体として機能するので、回路ケース４０の外側面に位置調整部が設けられていてもよい。
【０１３７】
また、ランプ本体１００に、カバー１０１の相対位置を変更するための凹部を設けてもよい。例えば、カバー１０１に凹部に挿入される凸部を設け、凸部を凹部に挿入することで、ランプ本体１００に対するカバー１０１の相対位置を変化させてもよい。例えば、凸部に雄ねじ部６１を設け、凹部に雌ねじ部１１４を設けてもよい。あるいは、凹部に係止する凹凸部又は爪部などを凸部に設けてもよい。
【０１３８】
また、カバー１０１の形状、大きさ、材質などは、上記の実施の形態で示した例に限定されない。また、例えば、電球形ランプ１は、カバー１０１を備えなくてもよい。
【０１３９】
また、例えば、上記の実施の形態では、発光素子１２がＳＭＤ型ＬＥＤ素子である例について示したが、これに限らない。例えば、発光モジュール１０は、ベアチップが基板１１上に直接実装されたＣＯＢ（Ｃｈｉｐ  Ｏｎ  Ｂｏａｒｄ）型の発光モジュールでもよい。つまり、発光素子１２として、ＬＥＤチップそのものが採用されてもよい。この場合、封止部材によって、複数のＬＥＤチップを一括又は個別に封止してもよい。封止部材には、上述のように黄色蛍光体などの波長変換材が含有されてもよい。
【０１４０】
また、例えば、上記の実施の形態において、発光素子１２の一例としてＬＥＤを示したが、これに限らない。発光素子１２は、半導体レーザなどの半導体発光素子、有機ＥＬ（Ｅｌｅｃｔｒｏ  Ｌｕｍｉｎｅｓｃｅｎｃｅ）又は無機ＥＬなどの固体発光素子を用いてもよい。
【０１４１】
また、例えば、上記の実施の形態では、照明器具２００の一例としてダウンライトを示し、照明用光源の一例として、口金８０を備える電球形ランプ１を示したが、これに限らない。例えば、照明用光源は、直管形ランプでもよい。あるいは、照明用光源は、天井に設けられた引掛シーリングボディ（シーリングライト用の給電部）の照明用電力供給部に取付可能なランプでもよい。この場合、照明用光源は、口金８０の代わりに、引掛シーリングボディにシーリングライトを取り付けるためのアダプタと同様の構造を有する受電部を備えていればよい。また、照明器具２００は、ペンダント型の照明器具（ペンダントライト）、卓上ライトなど、その他の照明器具でもよい。
【０１４２】
その他、各実施の形態に対して当業者が思いつく各種変形を施して得られる形態や、本発明の趣旨を逸脱しない範囲で各実施の形態における構成要素及び機能を任意に組み合わせることで実現される形態も本発明に含まれる。
【符号の説明】
【０１４３】
１、１ａ、２  電球形ランプ（照明用光源）
１０  発光モジュール
６０  筐体
１００  ランプ本体
１０１、３０１  カバー
１０２、３０２  拡散部材
【図１Ａ】
2016152210.tif 000003
【図１Ｂ】
2016152210.tif 000004
【図２】
2016152210.tif 000005
【図３】
2016152210.tif 000006
【図４】
2016152210.tif 000007
【図５Ａ】
2016152210.tif 000008
【図５Ｂ】
2016152210.tif 000009
【図６】
2016152210.tif 000010
【図７Ａ】
2016152210.tif 000011
【図７Ｂ】
2016152210.tif 000012
【図８】
2016152210.tif 000013
【図９】
2016152210.tif 000014